(57)【要約】 【課題】  陳列体裁が良く、腕木の着脱が容易で、且つ腕木が棚柱の全周に抱き着き強固に固定され、耐荷重性能に優れる棚板支持装置を提供する。【解決手段】  左・右の側面部１２、１３にそれぞれ複数の孔を縦列に配した左・右側孔列１２Ａ、１３Ａを備える棚柱１と、この棚柱１に着脱する腕木２と、腕木の広幅基端部２２に連続し、挿込片３１ｃが棚柱の左側孔列１２Ａの孔に係合して棚柱１の左半周に抱き付く左側抱き着き部３１及びこの左側抱き着き部３１の下方に配備され、挿込片３３ｃが右側面部１３の右側孔列１３Ａの対応する孔に係合して、棚柱１の右半周に抱き付く右側抱き着き部３３とから成る止着手段３と、上記広幅基端部２２の上部に起伏可能に軸支され、倒伏時に先端の回動阻止部４２が棚柱の右側面部を押圧して止着手段３の回動を阻止するストッパー４とから成る。【選択図】          図５
2010213901.tif 000002
【特許請求の範囲】
【請求項１】
左・右の側面部にそれぞれ複数の孔を縦列に配した左・右側孔列を備える棚柱と、この棚柱に着脱する広幅基端部を備える腕木と、腕木の広幅基端部に連続し、挿込片が棚柱の左側面部の左側孔列の孔に係合して棚柱の左半周に抱き付く左側抱き着き部及びこの左側抱き着き部の下方に配備され、挿込片が右側面部の右側孔列の対応する孔に係合して、棚柱の右半周に抱き付く右側抱き着き部から成る止着手段と、上記広幅基端部の上部に起伏可能に軸支され、倒伏時に先端の回動阻止部が棚柱の右側面部を押圧して止着手段の回動を阻止するストッパーとから成ることを特徴とする棚板支持装置。
【請求項２】
前記止着手段の左側抱き着き部は、広幅基端部の基端面を延長して左へ直角に折り曲げた正面接面部と、正面接面部の先端を更に直角に折り曲げた側面接面部と、この側面接面部の上部に連続し正面接面部に平行する上側挿込片と、側面接面部の下部に連続し正面接面部に平行する下側挿込片とから成ることを特徴とする請求項１記載の棚板支持装置。
【請求項３】
前記ストッパーは、天板部と両挟み片とから成る断面コ字状に形成され、天板部の先端には右側へ延長状に張り出す水平状の回動用操作片を設けたものであることを特徴とする請求項１記載の棚板支持装置。
【発明の詳細な説明】
【技術分野】
【０００１】
この発明は、棚板支持装置に関する。
【背景技術】
【０００２】
図８に示すような棚板支持装置が、一般的に使用されている。
この棚板支持装置は、短冊状正面板７１と、この正面板の両側辺をそれぞれ直角に折り曲げた左・右側板７２とで構成する断面コ字状の棚柱７と、この棚柱７に係脱する腕木６とから成る。
【０００３】
正面板７１の面内には、矩形状の挿入孔７３が一定間隔を存して多数、縦一列状に配列されている。一方、腕木６は所定長さを有し、幅狭先端部６１と広幅基端部６２との間を漸次、幅広がり状とした略長方形の平板で、広幅基端部６２の基端縁６４には、水平状上辺６３に連続する上側挿込片７５と下側挿込片７６を突設している。
【０００４】
この棚板支持装置では、左・右側板７２、７２の先端面７２ａを壁面に接面させた状態で、正面板７１の面内のビス孔７４から壁面にビス７７を打ち込み固定する。ついで、腕木６の取り付け高さに対応する挿入孔７３を選択する。
【０００５】
選択した第１の挿入孔７３ａに上側挿込片７５を挿入し、且つ下側挿込片７６を第２の挿入孔７３ｂに挿入する。この挿入状態で挿込片７５（７６）をわずか降下させるとき、孔７３ａ（７３ｂ）の下端に挿込片７５（７６）の下端が当接面すると共に、挿込片７５（７６）の下端に連続する係合突子７５ａ（７６ａ）が孔７３ａ（７３ｂ）下端の正面板７１の裏面に係合する。
【特許文献１】実開平７−２８４４５号公報
【発明の開示】
【発明が解決しようとする課題】
【０００６】
上記棚板支持装置では、挿込片の挿入作業を容易にするため、矩形状挿入孔の縦長さを係合突子を含む挿込片の縦長さより大きく設定すると共に、挿込片厚みより、矩形状挿入孔の開口幅を大きく設定してある。
【０００７】
このため、挿込片と挿入孔との嵌合状態に遊びがあり、挿込片が挿入孔内で上下方向及び左右方向へがたつく。この結果、棚柱に対する腕木の取り付け状態が極めて不安定となり、耐荷重性能に劣る不利がある。
【０００８】
更に、挿込片（係合突子）は、挿入孔に対し嵌入し、且つ下方へ落し状に降下させただけの係合であるから、意に反して下方向からの持ち上げ力が腕木本体に作用すると、腕木が棚柱から容易に外れるおそれがある。
【０００９】
また、この正面板の面内には多数の挿入孔およびビス止用孔が配列してある。正面板は看者が良く目にする場所である。このため、外観される挿入孔の存在により陳列体裁が悪くなる等の欠点がある。
【００１０】
この発明は、以上のような課題を解消させ、陳列体裁が良く、腕木が棚柱に対して両手持ちし耐荷重性能に優れる許りでなく、腕木の取り付け、取り外しが極めて簡易で、且つ強固に固定し得る棚板支持装置を提供することを目的とする。
【課題を解決するための手段】
【００１１】
この目的を達成させるために、この発明の棚板支持装置では、次のような構成としている。
棚板支持装置は、左・右の側面部にそれぞれ複数の孔を縦列に配した左・右側孔列を備える棚柱と、この棚柱に着脱する広幅基端部を備える腕木と、腕木の広幅基端部に連続し、挿込片が棚柱の左側面部の左側孔列の孔に係合して棚柱の左半周に抱き付く左側抱き着き部及びこの左側抱き着き部の下方に配備され、挿込片が対応する右側面部の右側孔列の孔に係合して、棚柱の右半周に抱き付く右側抱き着き部とから成る止着手段と、腕木の広幅基端部の上部に起伏可能に軸支され、倒伏時に先端の回動阻止部が棚柱の右側面部を押圧して広幅基端部の回動を阻止するストッパーとから成ることを特徴としている。
【発明の効果】
【００１２】
このような構成を有する棚板支持装置では、棚柱に対する腕木の止着手段を、左側抱き着き部と右側抱き着き部とに振り分け状に配備することとしたから、棚柱の正面部に対し上方から止着手段を斜め交差状に重合させることで、左側抱き着き部が棚柱の左側へ、また右側抱き着き部が棚柱の右側へ振り分けされる。
【００１３】
この状態で、腕木の広幅基端部を時計方向へ回動させるだけで、棚柱に対し左・右側に位置するの挿込片が対応する棚柱の左・右側の縦列孔に嵌着するから、左右の抱き着き部が棚柱を一周状に抱き込み固定する。従って、単に回動させるだけの簡易な操作で腕木は棚柱に強固に固定される。
【００１４】
更に、ストッパ−を倒伏させるだけで、左右の抱き着き部の回動は阻止されるから、仮に反時計回りの力が作用した場合であっても、左右の抱き着き部は回動しない。従って、意に反して棚柱に対し腕木が外れる等の虞は解消される。
【００１５】
また、挿込片が嵌入する棚柱の縦列孔は、外観しづらい棚柱の両側面部に開設され、正面部に不体裁な孔は存在しない。従って、陳列の外観体裁が良く、宝飾品など美麗な展示が要請される陳列棚などに好適となる等、発明目的を達成した優れた効果を有する。
【発明を実施するための最良の形態】
【００１６】
以下、図面に基づき本発明に係る棚板支持装置の具体的な実施の形態を説明する。
【００１７】
図１及び図２で示すように、棚板支持装置は棚柱１と、棚柱に着脱する腕木２と、腕木２の広幅基端部２２に配備される止着手段３と、この止着手段３の回動を阻止するストッパー４とから構成される。
【００１８】
図１は、腕木２を示す斜視図である。
腕木２は、先端を幅狭部２１とし、基部の幅広基端部２２に向けて漸次幅を広く設定した略長方形の平板である。
【００１９】
この腕木２の幅広基端部２２の基端面２３に止着手段３を配備すると共に、幅広基端部２２の上部にストッパー４を配備している。
【００２０】
止着手段３は、幅広基端部の基端面２３に連続して、広幅基端部２２の上方に屈曲形成した棚柱の左半周に抱き付く左側抱き着き部３１と、広幅基端部２２の下方に屈曲形成した棚柱の右半周に抱き付く右側抱き着き部３３とから成る。
【００２１】
左側抱き着き部３１は、幅広基端部の基端面２３を延長して左へ直角に折り曲げた正面接面部３１ａと、正面接面部３１ａの先端を更に直角に折り曲げた側面接面部３１ｂと、この側面接面部３１ｂの上部に連続し正面接面部３１ａに平行する上側挿込片３１ｃと、側面接面部３１ｂの下部に連続し正面接面部３１ａに平行する下側挿込片３２ｃとから成る。
【００２２】
上側挿込片３１ｃと下側挿込片３２ｃには、それぞれ先端面に下方へ突出する係合突子３１ｄ、３２ｄが連続状に突設してある。
【００２３】
前記右側抱き着き部３３は、幅広基端部の基端面２３を延長して右へ直角に折り曲げた正面接面部３３ａと、正面接面部３３ａの下方の先端を更に直角に折り曲げた側面接面部３３ｂと、この側面接面部３３ｂの先端に連続し正面接面部３３ａに平行する挿込片３３ｃとから成る。この挿込片３３ｃには、先端面に下方へ突出する係合突子３３ｄが連続状に突設してある。
前記棚柱１は、図２及び図３で示すように、断面形状が略下開口のフランジ付き皿状で、壁面などに接面する背面部１４と、背面部１４から直角に立ち上がる左側面部１２及び右側面部１３と、両側面部１２，１３を連続する正面部１１とから成る（図５及び図６参照）。
【００２４】
この正面部１１は、図５で示すように面内が若干凹み状に形成され、この凹み部にビス止着用孔１５が開設され、ビス止着後は化粧板１１ａの裏脚を凹み部に嵌着して止めビス及びビス孔１５の存在を隠している。
【００２５】
左側面部１２と右側面図１３には、それぞれ上下方向へ一定間隔を存して多数の挿入孔を配列して成る右側孔列１２Ａと、左側孔列１３Ａとが配備してある。  前記上・下挿込片３１ｃ（３２ｃ）は、左側孔列１２Ａの上下方向へ隣り合う孔（例えば第１の孔１２ａと第２の孔１２ｂ）間隔に対応する間隔で突設してある。
【００２６】
また、挿込片３３ｃは、右側孔列１３Ａのうち第４の孔１３ｄに対応する間隔で突設してある。尚、この第４の孔１３ｄは、左側孔列１２Ａの第４の孔１２ｄに対応している。
【００２７】
前記ストッパー４は、図１及び図２で示すように、天板部４６と左側挟み片４１と右側挟み片４１ａとで、断面コ字状に形成され、左右挟み片４１、４１ａ間で広幅基端部２２の上辺を挟み込むように枢支ピン４５で起伏可能に取り付けられている。
【００２８】
右側挟み片４１ａには、先端面を延長して棚柱１の正面部１１に接面する正面接面部４２と、正面接面部４２の先端を直角に折り曲げて棚柱１の右側面部１３に接面する右側面接面部４２ｂとで回動阻止部４２を構成している。また、右側面接面部４２ｂの先端には、内向きに押圧用膨出部４２ｃが設けてある。
【００２９】
更に、天板部４６の先端部には右側へ突出する水平状の回動用操作片４４を設けると共に、天板部４６の基部には切欠き部４３を開設して回動用逃がし部としている。
【００３０】
このような構成を有する棚板支持装置では、図４で示すように、棚柱に対し腕木１を取り付ける。
【００３１】
棚柱１の正面部１１に対し上方から斜め交差状に重合させる。このとき、止着手段３の左側抱き着き部３１が棚柱１の左側へ、また右側抱き着き部３３が棚柱１の右側へ振り分け状に配置される。
【００３２】
この状態で、棚柱１の左側孔列１２Ａのうち適当な高さ位置の挿入孔を選択する。例えば、左側孔列１２Ａのうち、選択した孔が第２の孔１２ｂとすると、この孔１２ｂに下側挿込片３２ｃ（係合突子３２ｄ）を嵌入する。そして、この嵌入点を支点に止着手段３を時計回り方向へ回動させる。
これにより、図２で示すように、左側抱き着き部３１の正面接面部３１ａが、棚柱１の正面部１１の左半分に接面し、且つ側面接面部３１ｂが左側面部１２に接面する。同様に、図３で示すように、左側抱き着き部３３の正面接面部３３ａが正面部１１の右半分に接面し、且つ側面接面部３３ｂが右側面部１３に接面する。
【００３３】
同時に、図５で示すように、左側抱き着き部３１の上側挿込片３１ｃが対応する第１の孔１２ａに嵌入し、下側の挿込片３２ｃが選択した第２の孔１２ｂに嵌入する。そして、右側抱き着き部３３の挿込片３３ｃが右側面部１３の右側孔列１３Ａのうち対応する第４の孔１３ｄに嵌入する。これにより、止着手段（左側抱き着き部３１及び右側抱き着き部３３）３が、棚柱１のほぼ全周に抱きつく。
【００３４】
この棚柱１の全周囲抱き着き状態において、図６で示すように、広幅基端部２２を僅かに下方へ移動させると、両側の抱き着き部３１、３３の挿込片３１ｃ、３２ｃ、３３ｃの各下端が、各孔１２ａ、12ｂ、１３ｄの下端１２ｆに当接し支承され、且つ各係合突子３１ｄ、３２ｄ、３３ｄが孔下方の側面部１２、１３内側に係合して固定される。
【００３５】
ここで、ストッパー４を倒伏する。図３で示すように、ストッパー４を前側へ倒すことによって、回動阻止部４２、つまり、正面接面部４２ａが正面部１１に接面し、右側面接面部（押圧膨出部４２ｃ）４２ｂが右側面部１３に対し押圧接面する。
【００３６】
かくして、棚柱１の全周に対し抱き付き状に係合する止着手段（左側抱き着き部３１及び右側抱き着き部３３）３の反時計回り方向への回動を完全に阻止する。従って、ストッパー４の回動用操作片４４を手指で把持して上方へ起立させない限り、棚柱１と腕木２とは強固に固定され、外れる虞れはない。
【図面の簡単な説明】
【００３７】
【図１】実施の形態の棚板支持装置の腕木を示す斜視図である。
【図２】棚柱と止着手段との係合状態を示す要部拡大斜視図である。
【図３】棚柱と止着手段との係合状態を示す要部拡大斜視図である。
【図４】棚柱に対し止着手段の係合操作を示す説明平面図である。
【図５】棚柱に対し止着手段が係合する状態を示す説明断面図である。
【図６】棚柱に対し止着手段が固定された状態を示す説明図である。
【図７】従来の棚板支持装置を示す側面図である。
【符号の説明】
【００３８】
１      棚柱
２      腕木
３      止着手段
４      ストッパー
１１    正面部
１２    左側面部
１３    右側面部
１２Ａ  左側孔列
１３Ａ  右側孔列
２２    広幅基端部
２３    基端面
３１    左側抱き着き部
３３    右側抱き着き部
３１ａ  正面接面部
３１ｂ  側面接面部
３１ｃ  挿込片
３３ａ  正面接面部
３３ｂ  側面接面部
３３ｃ  挿込片
４１    挟み片
４２    回動阻止部
４４    回動用操作片
【図１】
2010213901.tif 000003
【図２】
2010213901.tif 000004
【図３】
2010213901.tif 000005
【図４】
2010213901.tif 000006
【図５】
2010213901.tif 000007
【図６】
2010213901.tif 000008
【図７】
2010213901.tif 000009